(57)【特許請求の範囲】
【請求項１】
取付穴を有する天井に保持され、かつ下方に開口部を有する本体枠と、
前記本体枠における前記開口部の一端から他端の間で互いに離間して、前記天井に平行な方向である水平方向に並べられると共に、各々が、ＬＥＤと、前記ＬＥＤを収容する、下方に開口するリフレクタと、を備える複数の灯具と、
を有し、
前記各灯具は、前記各灯具の並び方向に直交、かつ、水平方向に設けられる回転中心としての複数の支軸の各々によって、前記本体枠に回転自在に支持され、
前記本体枠の内側に、複数の前記灯具を一括して同一回転角度で回転させる照射角切替手段が設けられ、
同じ方向に向いている前記各灯具からの光によって所望の明るさが得られると共に、前記各灯具が前記支軸の周りに回転限度まで回転した状態でも、前記各灯具の光は、前記本体枠によって遮られることなく、前記天井の下方に照射される照明器具。
【請求項２】
請求項１に記載の照明器具であって、
前記照射角切替手段が、
前記本体枠の外側にスイッチ部を突出し、前記本体枠の内側で前記灯具の並び方向にスライド自在となって取り付けられるラック部材と、
前記各灯具に応じて前記本体枠の内側に設けられ、前記各灯具の並び方向に直交、かつ、水平方向の回転中心で回転自在に支持されて前記ラック部材に噛合する複数の第１歯車と、
前記各支軸を中心にして前記各灯具に固定され、前記第１歯車に噛合する複数の第２歯車と、
を備える照明器具。
【発明の詳細な説明】
【技術分野】
【０００１】
本発明は、照射方向が変更可能な照明器具に関する。
【背景技術】
【０００２】
従来から天井埋込タイプの照明器具で直下方向だけでなく鉛直面を照射するために、首振機構を有したダウンライトが知られている。例えば特許文献１に記載の図６に示す照明器具１００は、筒型の本体枠１０１の内部に灯具１０２が収容されており、灯具１０２が灯具中心を傾斜自在としている。灯具１０２の内部には、ランプおよび反射板が収容されており、灯具１０２を本体枠１０１に対して不図示の首振機構で水平軸周りに回転させることで、照射方向が調整自在となる。
【０００３】
ところが、上記の照明器具１００は、首振機構で回転させる程、自身の本体枠１０１で光が遮られる（蹴られる）ため、照射物に対して性能通りの明るさが確保できないばかりか、電力の浪費にもつながっていた。
【０００４】
このような不具合を解消しようとしたものに、例えば特許文献２に開示される図７に示すユニバーサルダウンライト１０３は、ケース１０４に昇降可能なスライド天板１０５を設け、スライド天板１０５の下方に、灯体１０６を２方向に回転し得るように吊り下げることにより、スライド天板１０５が下限に位置した状態で、灯体１０６の前部１０７をケース１０４の下方に突出させている。
【先行技術文献】
【特許文献】
【０００５】
【特許文献１】実開昭６３−１０１４１１号公報（第１図）
【特許文献２】特開平１１−３３９５１２号公報（第１図）
【発明の概要】
【発明が解決しようとする課題】
【０００６】
しかしながら、上記した従来のユニバーサルダウンライト１０３は、照射角度を変更するときには、照射角度の変更範囲が狭くならないように、灯体１０６をケース１０４から下方へ引き出さなければならず、灯体１０６が大きく露出するため見栄えが低下する意匠上の問題がある。また、直下方向に照射角度を戻すときには、灯体１０６の回転調整に加えて灯体１０６の押し込み操作が必要となり照射角度の変更作業が煩雑となった。
【０００７】
本発明は上記状況に鑑みてなされたもので、その目的は、灯体を引き出すことなく、明るさを損なわずに照射方向が容易に変更できる照明器具を提供することにある。
【課題を解決するための手段】
【０００８】
本発明に係る照明器具は、取付穴を有する天井に保持され、かつ下方に開口部を有する本体枠と、前記本体枠における前記開口部の一端から他端の間で互いに離間して、前記天井に平行な方向である水平方向に並べられると共に、各々が、ＬＥＤと、前記ＬＥＤを収容する、下方に開口するリフレクタと、を備える複数の灯具と、を有し、前記各灯具は、前記各灯具の並び方向に直交、かつ、水平方向に設けられる回転中心としての複数の支軸の各々によって、前記本体枠に回転自在に支持され、前記本体枠の内側に、複数の前記灯具を一括して同一回転角度で回転させる照射角切替手段が設けられ、同じ方向に向いている前記各灯具からの光によって所望の明るさが得られると共に、前記各灯具が前記支軸の周りに回転限度まで回転した状態でも、前記各灯具の光は、前記本体枠によって遮られることなく、前記天井の下方に照射されるものである。
【０００９】
また、本発明に係る照明器具は、前記照射角切替手段が、前記本体枠の外側にスイッチ部を突出し、前記本体枠の内側で前記灯具の並び方向にスライド自在となって取り付けられるラック部材と、前記各灯具に応じて前記本体枠の内側に設けられ、前記各灯具の並び方向に直交、かつ、水平方向の回転中心で回転自在に支持されて前記ラック部材に噛合する複数の第１歯車と、前記各支軸を中心にして前記各灯具に固定され、前記第１歯車に噛合する複数の第２歯車と、を備えるものである。
【発明の効果】
【００１０】
本発明に係る照明器具によれば、灯体を引き出すことなく、明るさを損なわずに照射方向を容易に変更できる。
【図面の簡単な説明】
【００１１】
【図１】本発明に係る照明器具の構成図
【図２】図１に示した灯具ユニットの拡大図
【図３】図２に示した灯具ユニットの動作説明図
【図４】照射角切替手段の一例を示した構成図
【図５】図４に示した照射角切替手段の動作説明図
【図６】（Ａ）は灯具が傾斜自在な従来の照明器具の側面図、（Ｂ）はその傾斜時の側面図
【図７】（Ａ）は灯具が引き出し自在な従来の照明器具の側面図、（Ｂ）はその引き出し時の側面図
【発明を実施するための形態】
【００１２】
以下、本発明の実施形態を図面を参照して説明する。
図１は本発明に係る照明器具の構成図である。
照明器具１０は、天井１１に取り付けられ、下方に開口部１２の形成された本体枠１３を有する。本体枠１３は、本実施形態において円筒形に形成されるが、四角形であってもよい。開口部１２の外周には鍔部１４が形成され天井１１に形成した取付穴１５の周囲が目隠しされる。本体枠１３は、さらに鍔部１４の設けられた筒体部１６と、灯具支持部１７とに大別構成される。筒体部１６の外周には先端が自由端となった不図示の取付バネが円周方向に等間隔で複数突出して設けられ、取付バネは鍔部１４とで取付穴１５の周縁を挟持して本体枠１３を天井１１に保持する。
【００１３】
灯具支持部１７は、筒体部１６と一体に固定して設けられている。つまり、灯具支持部１７は可動しない。灯具支持部１７の上部には後述のＬＥＤ１８（図２参照）に点灯のための電力を供給する不図示の点灯電源装置が取り付けられる。点灯電源装置は、本体枠１３の内側に収容されていても外側に設けられていてもよい。点灯電源装置は、電源端子台を有し、外部の商用電源が電気的に接続される。
【００１４】
灯具支持部１７には複数の灯具１９を備えた灯具ユニット２０が設けられる。灯具ユニット２０は、灯具支持部１７の下方から表出し、筒体部１６の開口部１２に略一致して配置される。つまり、それぞれの灯具１９が開口部１２から大きく突出しないようになされている。これにより、照明器具１０では、灯具１９が開口部１２から大きく露出することによる見栄えの低下が生じない。灯具ユニット２０の全体の明るさは、従来技術に開示した単一灯具を備えた従来照明器具と同等に設定される。
【００１５】
図２は図１に示した灯具ユニット２０の拡大図、図３は図２に示した灯具ユニット２０の動作説明図である。
灯具ユニット２０におけるそれぞれの灯具１９は、開口部１２の一端２１から他端２２の間で複数個が離間して並べられＬＥＤ１８からの光をリフレクタ２３によって集光して出射する。リフレクタ２３は、回転放物面を内側反射面として有し、回転放物面の中心軸上にＬＥＤ１８が配置される。ＬＥＤ１８からの光は、内側反射面によって集光されて照明光となって照射される。その内側反射面には微小凹凸が形成されることが好ましい。微小凹凸を有することで、反射された光が微小凹凸によって拡散され、鏡面である場合に比べ、均等な強度の光が連続的に出射可能となる。これにより、照射面において、照度分布が均一となって、照度ムラや色ムラが低減される。
【００１６】
照明器具１０は、灯具１９にＬＥＤ１８を使用することで、リフレクタ２３の小型化を可能としている。これにより、灯具ユニット２０の全体で必要な明るさが確保されるように、灯具１９を複数に分けることが可能となる。また、リフレクタ２３が小型であるので、筒体部１６の開口部１２から大きく突出することもなくなる。
【００１７】
それぞれの灯具１９は、後述の支軸２４（図４参照）によって本体枠１３の灯具支持部１７に支持される。支軸２４は、開口部１２の内側に設けられ、灯具１９の並び方向に直交、かつ、水平方向の回転中心でそれぞれの灯具１９を灯具支持部１７に回転自在に支持する。ここで、灯具１９の並び方向とは、図２の左右方向を言う。また、水平方向とは、天井１１に沿う方向を言う。従って、灯具１９の並び方向に直交、かつ、水平方向とは、図２の紙面に垂直な方向を言う。
【００１８】
なお、灯具１９の並びは、直線上に複数のものが整列されもよく、同一ピッチの列が位相を変えて平行に並ぶ所謂千鳥配列であってもよい。本実施形態では、図２に実線で示した灯具１９が手前列であり、上部を省略した灯具１９が奥側列となる千鳥配列となっている。このような千鳥配列とすることにより、隣接する灯具１９との干渉を少なくすることができる。
【００１９】
照明器具１０は、このように本体枠１３の内側に設けられ、複数の灯具１９が、図３に示すように、一括して同一回転角度で回転されるようになされている。灯具１９は、上記した支軸２４を中心とした正逆に回転可能、つまり、回動自在となっている。
【００２０】
図４は照射角切替手段２６の一例を示した構成図、図５は図４に示した照射角切替手段２６の動作説明図である。
灯具１９の回転は、灯具ユニット２０に設けられる照射角切替手段２６によって行われる。照射角切替手段２６は、ラック部材２７と、第１歯車２８と、第２歯車２９とを備える。ラック部材２７は、本体枠１３の外側にスイッチ部３０を突出し本体枠１３の内側で灯具１９の並び方向（図４の左右方向）にスライド自在となって取り付けられる。ラック部材２７の灯具１９に対向する面にはスライド方向に複数のラック歯が形成されている。
【００２１】
第１歯車２８は、それぞれの灯具１９に応じて灯具支持部１７の内側に設けられ、灯具１９の並び方向に直交、かつ、水平方向の回転中心で回転自在に支持されて、ラック部材２７のラック歯に噛合する。第１歯車２８は、ラック部材２７がスライドすることで、噛合した歯同士によって回転する。つまり、直線運動が回転運動に変換される。第２歯車２９は、支軸２４を中心にそれぞれの灯具１９に固定され、第１歯車２８に噛合する。支軸２４とリフレクタ２３と、第２歯車２９との構造例をより具体的に説明すれば、例えば支軸２４は、灯具支持部１７からリフレクタ２３の直径方向両端に向かって突出する。リフレクタ２３にはこの一対の支軸２４に外挿される不図示の軸受凹部が固定される。つまり、リフレクタ２３は、一対の軸受凹部を介して支軸２４に回転自在に支持される。第２歯車２９は、この軸受凹部の外周に同心円状に形成される。これにより、図５に示すように、第１歯車２８の回転によってリフレクタ２３が従動回転されるようになされている。
【００２２】
なお、灯具支持部１７には、適宜な押圧力でラック部材２７に摺接する不図示の位置保持部材を設けることが好ましい。これにより、スライド抵抗を発生させ、照明方向の変更された灯具１９の回転角度を位置保持することができる。
【００２３】
また、本実施形態では、照射角切替手段２６が、ラック部材２７と、第１歯車２８と、第２歯車２９と、からなる構成を例に説明したが、照射角切替手段２６は、この他、例えばリンク機構や、カム機構によって構成されてもよい。
【００２４】
次に、上記構成を有する照明器具１０の作用を説明する。
照明器具１０では、スイッチ部３０がスライド操作されると、スイッチ部３０と一体となったラック部材２７が移動され、ラック部材２７に噛み合う全ての第１歯車２８が回転する。
【００２５】
第１歯車２８の回転により第２歯車２９が回転され、第２歯車２９に固定されるそれぞれの灯具１９が、支軸２４を中心に同一方向に同一の回転角度で回転される。ラック部材２７、第１歯車２８、第２歯車２９により照射角切替手段２６を構成することで、簡単な構造で複数の灯具１９を同一角度で確実に一括回転することができる。この灯具１９の回転により、ＬＥＤ１８から出射されリフレクタ２３に反射される照明光の照射角度が変更される。
【００２６】
このように、照明器具１０では、同時点灯で所望の明るさとなるように灯具１９が複数に分割して設けられ、これらそれぞれの灯具１９が、本体枠１３の内側に設けられる支軸２４によって回転自在となる。それぞれの灯具１９は、小型となるので支軸２４からリフレクタ２３の先端までの距離が小さく設定可能となり、従来構造のように、一つの灯具１９を大きく本体枠１３から引き出さなくても、それぞれの灯具１９からの出射光が本体枠１３に遮られることなく照射可能となる。また、照射角度を元に戻す場合でもあっても、照射角切替手段２６のみの簡単な操作で複数の灯具１９の照射角度が一度に容易に復元可能となる。
【００２７】
従って、本実施形態に係る照明器具１０によれば、灯体を引き出すことなく、明るさを損なわずに照射方向を容易に変更できる。
【符号の説明】
【００２８】
１０  照明器具
１１  天井
１２  開口部
１３  本体枠
１８  ＬＥＤ
１９  灯具
２１  一端
２２  他端
２３  リフレクタ
２４  支軸
２６  照射角切替手段
２７  ラック部材
２８  第１歯車
２９  第２歯車
３０  スイッチ部
【図１】
0005756913.tif 000002
【図２】
0005756913.tif 000003
【図３】
0005756913.tif 000004
【図４】
0005756913.tif 000005
【図５】
0005756913.tif 000006
【図６】
0005756913.tif 000007
【図７】
0005756913.tif 000008